(57)【要約】【課題】本発明は各種音響機器に使用されるスピーカに関するものであり、ボイスコイルの放熱効率を維持しつつ、ダストキャップの共振を低減させ、周波数特性の安定化を図ることを目的とするものである。【解決手段】そしてこの目的を達成するために本発明は、ボイスコイル２８に結合されたダストキャップ３０の表面に制振材２９を結合することを特徴としたもので、これにより、ボイスコイル２８の放熱効率を維持しつつ、ダストキャップ３０の共振を低減させ、周波数特性の安定化を実現できる構成としたものである。【選択図】  図２
2004260547.tif 000002
【特許請求の範囲】
【請求項１】
フレームと、このフレームに結合された振動板と、この振動板に結合されるとともに、その一部が前記磁気回路の磁気ギャップに配置されたボイスコイルと、このボイスコイルを覆うように前記ボビンに結合されたダストキャップとからなるスピーカであって、このダストキャップの表面には制振材を結合してなるスピーカ。
【請求項２】
ボイスコイルのボビンを金属系材料により構成した請求項１記載のスピーカ。
【請求項３】
ダストキャップを金属系材料により構成した請求項１または請求項２記載のスピーカ。
【請求項４】
ダストキャップを平板形状に形成した請求項１から請求項３記載のいずれか１つのスピーカ。
【請求項５】
ダストキャップの中心から外周までの寸法を各々の角度によりランダムに異ならせた形状に形成した請求項１から請求項４記載のいずれか１つのスピーカ。
【請求項６】
ダストキャップの中心とボイスコイルのボビンの中心とをずらせて結合した請求項１から請求項５記載のいずれか１つのスピーカ。
【請求項７】
ダストキャップは、その一部を欠損させて形成した請求項１から請求項６記載のいずれか１つのスピーカ。
【請求項８】
ダストキャップは位置により材厚差を設けて構成した請求項１から請求項７記載のいずれか１つのスピーカ。
【請求項９】
制振材はシート状に形成した請求項１から請求項８記載のいずれか１つのスピーカ。
【請求項１０】
制振材をシリコン系材料により構成した請求項１から請求項９記載のいずれか１つのスピーカ。
【請求項１１】
制振材は位置により密度差を設けて構成した請求項１から請求項１０記載のいずれか１つのスピーカ。
【請求項１２】
制振材の密度差は材料の発泡率を異ならせて形成した請求項１から請求項１１記載のいずれか１つのスピーカ。
【請求項１３】
制振材は位置により材厚差を設けて構成した請求項１から請求項１２記載のいずれか１つのスピーカ。
【請求項１４】
制振材は、その一部を欠損させて形成した請求項１から請求項１３記載のいずれか１つのスピーカ。
【請求項１５】
ダストキャップの一部を制振材により覆った請求項１から請求項１４記載のいずれか１つのスピーカ。
【請求項１６】
ダストキャップと制振材はシリコン系の接着剤により接着して構成した請求項１から請求項１４記載のいずれか１つのスピーカ。
【発明の詳細な説明】
【０００１】
【発明の属する技術分野】
本発明は各種音響機器に使用されるスピーカに関するものである。
【０００２】
【従来の技術】
従来のスピーカについて、図１２、図１３により説明する。
【０００３】
図１２は従来のダストキャップの断面図であり、金属材料や樹脂、紙、布等の材料によりインジェクション成形やプレス加工成形等を実施してダストキャップ１０を得ている。
【０００４】
一方図１３は、図１２にて完成したダストキャップ１０を使用して組立てられたスピーカの断面図を示したものである。
【０００５】
着磁されたマグネット１を上部プレート２および下部プレート３により挟み込んで磁気回路４を構成している。この磁気回路４の上部プレート２にフレーム６を結合し、このフレーム６の周縁部に振動板７を接着し、この振動板７にこれを駆動させるためのボイスコイル８を結合している。そして、このボイスコイル８は磁気ギャップ５にはまり込むように結合し、このボイスコイル８のボビン先端部８ａと振動板７にダストキャップ１０を結合して完成していた。
【０００６】
このタイプのスピーカは大入力で駆動するスーパーウーファ等に使用されている例が多い。これは、ボイスコイル８の放熱性を良くするために、ボイスコイル８を振動板７のみならずダストキャップ１０にも結合した構成として、ボイスコイル８の熱をダストキャップ１０を通して効率良く外部へ放熱している。
【０００７】
また、この場合スーパーウーファ等の低音域専用のスピーカとして使用していることが多いが、ボイスコイル８をダストキャップ１０にも結合している関係上、ボイスコイル８の振動がダストキャップ１０にも伝達されてしまう。よって、低音域では不要な周波数帯域まで再生してしまい、特性劣化を招くことが多い。
【０００８】
よって、従来ではダストキャップ１０に柔らかい材料を使用して共振を抑制したり、振動板７に処理を施して共振を抑制する方法がとられていた。
【０００９】
尚、ダストキャップを備えたものとしては、例えば、特許文献１が知られている。
【００１０】
【特許文献１】
特開２００１−２５０８９号公報
【００１１】
【発明が解決しようとする課題】
上述のスピーカは、ボイスコイル８を振動板７のみならずダストキャップ１０にも結合した構成として、ボイスコイル８の熱をダストキャップ１０を通して効率良く外部へ放熱している。
【００１２】
ところがこの構成は、ボイスコイル８の熱以外に振動についてもダストキャップ１０に伝達してしまい、本来低音域では不要な周波数帯域まで再生され、特性劣化を招くという課題を有するものであった。
【００１３】
本発明は、上記課題を解決するもので、ボイスコイルの放熱効率を維持しつつ、ダストキャップの共振を低減させ、周波数特性の安定化を実現できる優れたスピーカを提供するものである。
【００１４】
【課題を解決するための手段】
上記課題を解決するために、本発明は以下の構成を有する。
【００１５】
本発明の請求項１に記載の発明は、フレームと、フレームに結合された振動板と、振動板に結合されるとともに、その一部が磁気回路の磁気ギャップに配置されたボイスコイルと、このボイスコイルを覆うようにボビンに結合されたダストキャップとからなるスピーカであって、このダストキャップの表面には制振材を結合したものである。
【００１６】
この構成とすることにより、ボイスコイルの放熱効率を維持しつつ、ダストキャップの共振を低減させ、周波数特性の安定化を実現することができる。
【００１７】
本発明の請求項２に記載の発明は、ボイスコイルのボビンを金属系材料により構成したものである。
【００１８】
この構成とすることにより、ダストキャップへの熱伝導を金属系材料のボビンにより実施することで、ボイスコイルの放熱効率を非常に大きくすることができる。
【００１９】
本発明の請求項３に記載の発明は、ダストキャップを金属系材料により構成したものである。
【００２０】
この構成とすることにより、ボイスコイルの放熱効率を非常に大きくすることができる。
【００２１】
本発明の請求項４に記載の発明は、ダストキャップを平板形状に形成して構成したものである。
【００２２】
この構成とすることにより、ダストキャップの共振を低減させ周波数特性の安定化を図ることができる。
【００２３】
本発明の請求項５に記載の発明は、ダストキャップの中心から外周までの寸法を各々の角度によりランダムに異ならせた形状に形成したものである。
【００２４】
この構成とすることにより、ダストキャップの共振分散を図ることができ周波数特性の安定化を図ることができる。
【００２５】
本発明の請求項６に記載の発明は、ダストキャップの中心とボイスコイルのボビンの中心とをずらせて結合したものである。
【００２６】
この構成とすることにより、ダストキャップの共振分散を図ることができ周波数特性の安定化を図ることができる。
【００２７】
本発明の請求項７に記載の発明は、ダストキャップの一部を欠損させて構成したものである。
【００２８】
この構成とすることにより、ダストキャップの共振分散を図ることができ周波数特性の安定化を図ることができる。
【００２９】
本発明の請求項８に記載の発明は、ダストキャップの位置により材厚差を設けて構成したものである。
【００３０】
この構成とすることにより、ダストキャップの共振分散を図ることができ周波数特性の安定化を図ることができる。
【００３１】
本発明の請求項９に記載の発明は、制振材をシート状に形成して構成したものである。
【００３２】
この構成とすることにより、効率良くダストキャップの共振低減を図ることができ周波数特性の安定化を図ることができる。
【００３３】
本発明の請求項１０に記載の発明は、制振材をシリコン系材料により構成したものである。
【００３４】
この構成とすることにより、熱伝導率の向上と耐熱性の向上を図ることができる。
【００３５】
本発明の請求項１１に記載の発明は、制振材を位置により密度差を設けて構成したものである。
【００３６】
この構成とすることにより、ダストキャップの共振分散を図ることができ周波数特性の安定化を図ることができる。
【００３７】
本発明の請求項１２に記載の発明は、制振材の密度差は材料の発泡率を異ならせて形成したものである。
【００３８】
この構成とすることにより、ダストキャップの共振分散を図ることができ周波数特性の安定化を図ることができる。
【００３９】
本発明の請求項１３に記載の発明は、制振材を位置により材厚差を設けて形成したものである。
【００４０】
この構成とすることにより、ダストキャップの共振分散を図ることができ周波数特性の安定化を図ることができる。
【００４１】
本発明の請求項１４に記載の発明は、制振材の一部を欠損させて形成したものである。
【００４２】
この構成とすることにより、ダストキャップの共振分散を図ることができ周波数特性の安定化を図ることができる。
【００４３】
本発明の請求項１５に記載の発明は、ダストキャップの一部を制振材により覆ったものである。
【００４４】
この構成とすることにより、ダストキャップと制振材の結合の安定化を図ることができる。
【００４５】
本発明の請求項１６に記載の発明は、ダストキャップと制振材はシリコン系の接着剤により接着して構成したものである。
【００４６】
この構成とすることにより、ダストキャップと制振材の結合の熱的安定化を図ることができる。
【００４７】
【発明の実施の形態】
（実施の形態１）
以下、実施の形態１を用いて、本発明の特に請求項１〜４および請求項９〜１１に記載の発明について説明する。
【００４８】
図１は、本発明の一実施形態のダストキャップの断面図であり、特に熱伝導率の高いアルミ等の金属を加工することによりダストキャップ３０を得ている。このときダストキャップ３０の内部損失を大きくして共振低減を図るため、ダストキャップ３０の上表面に、柔らかく、耐熱性が高く、内部損失の大きい制振材２９を結合している。
【００４９】
今回のダストキャップ３０の形状は、共振の発生が少ない平板状のものを使用している。
【００５０】
一方図２は、図１にて完成したダストキャップ３０を使用して組立てられたスピーカの構造断面図を示したものであり、着磁されたマグネット２１を上部プレート２２および下部プレート２３により挟み込んで磁気回路２４を構成している。この磁気回路２４の上部プレート２２にフレーム２６を結合し、このフレーム２６の周縁部に振動板２７を接着し、この振動板２７にこれを駆動させるためのボイスコイル２８を結合している。
【００５１】
そして、ボイスコイル２８を磁気ギャップ２５にはまり込むように結合し、このボイスコイル２８のボビン先端部２８ａと振動板２７にダストキャップ３０を結合している。
【００５２】
このように、制振材２９を結合することで、ダストキャップ３０の共振低減を図ることができる。
【００５３】
また、放熱性を良くしたい場合には、ボイスコイル２８のボビンを金属系材料により構成したり、ダストキャップ３０を金属系材料により構成して、その熱伝導率により放熱効率を向上させることができる。
【００５４】
この金属系材料としては、アルミニウムやチタン等が一般的である。
【００５５】
また、ダストキャップ３０の表面に結合する制振材２９の形状としては、シート状とすることで、少ない体積ながら広い面積にわたり共振抑制を図ることができる。
【００５６】
また、制振材２９の材料としては、シリコン系の材料とすることで、耐熱性確保、高い熱伝導率による放熱性の向上を図ることができる。
【００５７】
さらに、制振材２９を、場所により密度差を設けて構成することで、ダストキャップ３０の共振分散を図ることができ、周波数特性の安定化を図ることができる。この密度差は、制振材２９をプレス成形するときのプレス圧力等により調整して設けることができる。
【００５８】
（実施の形態２）
以下、実施の形態２を用いて、本発明の特に請求項５に記載の発明について説明する。
【００５９】
図３は、本発明の実施形態２のダストキャップの平面図を示したものであり、ダストキャップ３０ｂの中心から外周までの寸法を各々の角度によりランダムに異ならせた形状にした。
【００６０】
この構成とすることにより、ダストキャップ３０ｂの共振分散を図ることができ周波数特性の安定化を図ることができる。
【００６１】
（実施の形態３）
以下、実施の形態３を用いて、本発明の特に請求項６に記載の発明について説明する。
【００６２】
図４は、本発明の実施形態３のダストキャップの平面図を示したものであり、ダストキャップ３０ｃの中心と、ボイスコイル２８のボビン先端部２８ａの中心とを、ずらせて結合したものである。
【００６３】
この構成とすることにより、ダストキャップ３０ｃの共振分散を図ることができ周波数特性の安定化を図ることができる。
【００６４】
（実施の形態４）
以下、実施の形態４を用いて、本発明の特に請求項７に記載の発明について説明する。
【００６５】
図５は、本発明の実施形態４の平面図を示したものであり、ダストキャップ３０ｄの一部を、孔３０ａを設けることで欠損させたものである。
【００６６】
この構成とすることにより、ダストキャップ３０ｄの共振分散を図ることができ周波数特性の安定化を図ることができる。
【００６７】
（実施の形態５）
以下、実施の形態５を用いて、本発明の特に請求項８に記載の発明について説明する。
【００６８】
図６は、本発明の実施形態５の断面図を示したものであり、ダストキャップ３０ｅを、その場所により材厚差を設けたものである。
【００６９】
この構成とすることにより、ダストキャップ３０ｅの共振分散を図ることができ周波数特性の安定化を図ることができる。
【００７０】
（実施の形態６）
以下、実施の形態６を用いて、本発明の特に請求項１２に記載の発明について説明する。
【００７１】
図７は、本発明の実施形態６の断面図を示したものであり、制振材２９ｂの密度差を、材料の発泡率を異ならせて形成したものである。
【００７２】
この構成とすることにより、ダストキャップ３０ｆの共振分散を図ることができ周波数特性の安定化を図ることができる。
【００７３】
（実施の形態７）
以下、実施の形態７を用いて、本発明の特に請求項１３に記載の発明について説明する。
【００７４】
図８は、本発明の実施形態７の断面図を示したものであり、制振材２９ｃを場所により材厚差を設けて形成したものである。
【００７５】
この構成とすることにより、ダストキャップ３０ｇの共振分散を図ることができ周波数特性の安定化を図ることができる。
【００７６】
（実施の形態８）
以下、実施の形態８を用いて、本発明の特に請求項１４に記載の発明について説明する。
【００７７】
図９は、本発明の実施形態８の断面図を示したものであり、制振材２９ｄの一部を除去したりして、欠損させたものである。
【００７８】
この構成とすることにより、ダストキャップ３０ｈの共振分散を図ることができ周波数特性の安定化を図ることができる。
【００７９】
（実施の形態９）
以下、実施の形態９を用いて、本発明の特に請求項１５に記載の発明について説明する。
【００８０】
図１０は、本発明の実施形態９の断面図を示したものであり、ダストキャップ３０ｊの一部、具体的には外周を、制振材２９ｅにより覆ったものである。
【００８１】
この構成とすることにより、ダストキャップ３０ｊの制振材２９ｅの結合の安定化を図ることができる。
【００８２】
（実施の形態１０）
以下、実施の形態１０を用いて、本発明の特に請求項１６に記載の発明について説明する。
【００８３】
図１１は、本発明の実施形態１０の断面図を示したものであり、ダストキャップ３０ｋと制振材２９ｆはシリコン系の接着剤３１により接着して構成したものである。
【００８４】
この構成とすることにより、ダストキャップ３０ｋと制振材２９ｆの結合の熱的安定化を図ることができる。
【００８５】
【発明の効果】
以上のように、本発明のスピーカは、ダストキャップの表面には制振材を結合したものである。
【００８６】
この構成とすることにより、ボイスコイルの放熱効率を維持しつつ、ダストキャップの共振を低減させ、周波数特性の安定化を実現することができる。
【００８７】
このように本発明は、性能の向上を実現できる優れたスピーカを提供することができ、その工業的価値は非常に大なるものである。
【図面の簡単な説明】
【図１】本発明の一実施の形態におけるダストキャップの断面図
【図２】本発明の一実施の形態におけるスピーカの断面図
【図３】本発明の他の実施の形態におけるダストキャップの平面図
【図４】本発明の他の実施の形態におけるダストキャップの平面図
【図５】本発明の他の実施の形態におけるダストキャップの平面図
【図６】本発明の他の実施の形態におけるダストキャップの断面図
【図７】本発明の他の実施の形態におけるダストキャップの断面図
【図８】本発明の他の実施の形態におけるダストキャップの断面図
【図９】本発明の他の実施の形態におけるダストキャップの断面図
【図１０】本発明の他の実施の形態におけるダストキャップの断面図
【図１１】本発明の他の実施の形態におけるダストキャップの断面図
【図１２】従来のダストキャップの断面図
【図１３】従来のスピーカの断面図
【符号の説明】
２１  マグネット
２２  上部プレート
２３  下部プレート
２４  磁気回路
２５  磁気ギャップ
２６  フレーム
２７  振動板
２８  ボイスコイル
２８ａ  ボビン先端部
２９  制振材
２９ｂ  制振材
２９ｃ  制振材
２９ｄ  制振材
２９ｅ  制振材
２９ｆ  制振材
３０  ダストキャップ
３０ａ  孔
３０ｂ  ダストキャップ
３０ｃ  ダストキャップ
３０ｄ  ダストキャップ
３０ｅ  ダストキャップ
３０ｆ  ダストキャップ
３０ｇ  ダストキャップ
３０ｈ  ダストキャップ
３０ｊ  ダストキャップ
３０ｋ  ダストキャップ
３１  接着剤
【図１】
2004260547.tif 000003
【図２】
2004260547.tif 000004
【図３】
2004260547.tif 000005
【図４】
2004260547.tif 000006
【図５】
2004260547.tif 000007
【図６】
2004260547.tif 000008
【図７】
2004260547.tif 000009
【図８】
2004260547.tif 000010
【図９】
2004260547.tif 000011
【図１０】
2004260547.tif 000012
【図１１】
2004260547.tif 000013
【図１２】
2004260547.tif 000014
【図１３】
2004260547.tif 000015